(57)【要約】  【課題】回線の発振を防止することができる通信装置を提供する。【解決手段】Ｓ７の判断処理において、回線が発振していると判断した場合は（Ｓ７：Ｙｅｓ）、発振検出回路５０が出力する発振検出信号に基づいて発振周波数は、２０ｋＨｚから１００ｋＨｚまたは２００ｋＨｚから７５０ｋＨｚであるか否かを判断する（Ｓ９）。発振周波数が、２０ｋＨｚから１００ｋＨｚまたは２００ｋＨｚから７５０ｋＨｚである場合は（Ｓ９：Ｙｅｓ）、適用するＤＣマスクカーブの種別をＢに設定する（Ｓ１０）。  【選択図】    図５
2006191495.tif 000002
【特許請求の範囲】
【請求項１】
回線網との接続を制御する回線制御部とその回線網を介して情報の送受信を行う通信部とを備えた通信装置において、
回線電圧または回線電流を検出する検出回路と、
回線の規格を満足する回線電流値に対応する回線電圧値を規定する電圧電流特性曲線を複数記憶する記憶手段と、
前記検出回路により回線閉結時の回線電圧または回線電流を検出するとともにその検出された電圧値または電流値に基づいて回線電圧値と回線電流値を取得し、その回線電圧値と回線電流値とが規格内になるように前記記憶手段に記憶された一の電圧電流特性曲線に基づいて回線電圧または回線電流を調整する調整手段と、
その調整手段により調整された場合に、前記一の電圧電流特性曲線とは異なる電圧電流特性曲線を前記記憶手段に記憶された複数の電圧電流特性曲線の中から選択する選択手段と、
その選択手段により選択された電圧電流特性曲線に基づいて回線電圧または回線電流を調整するように前記調整手段を制御する再調整手段とを備えていることを特徴とする通信装置。
【請求項２】
前記記憶手段は、回線の規格を満足する２つの電圧電流特性曲線を記憶するものであり、
前記選択手段は、前記調整手段により一の電圧電流特性曲線に基づいて回線電圧または回線電流が調整された場合に、他の電圧電流特性曲線に切り替えを行うものであることを特徴とする請求項１記載の通信装置。
【請求項３】
回線が発振状態であるか否かを検出する発振検出回路を備え、
前記選択手段は、前記調整手段により一の電圧電流特性曲線に基づいて調整された回線電圧および回線電流において前記発振検出回路が発振状態であることを検出した場合は、前記記憶手段に記憶された他の電圧電流特性曲線を選択するものであることを特徴とする請求項１または２記載の通信装置。
【請求項４】
前記記憶手段は、回線の規格を満足する３以上の電圧電流特性曲線を記憶するものであり、
前記選択手段は、前記調整手段により一の電圧電流特性曲線に基づいて調整された回線電圧および回線電流において前記発振検出回路が発振状態であることを検出した場合は、前記記憶手段に記憶された３以上の電圧電流特性曲線を順次選択するものであることを特徴とする請求項３記載の通信装置。
【請求項５】
回線が発振状態であるか否かを検出し、発振状態であることを検出した場合は、その発振周波数を検出する発振検出回路を備え、
前記記憶手段は、回線が発振した場合の発振周波数に対応して電圧電流特性曲線を記憶するものであり、前記選択手段は、前記発振検出回路により検出された発振周波数に対応して記憶されている電圧電流特性曲線を選択するものであることを特徴とする請求項１記載の通信装置。
【請求項６】
前記記憶手段は、回線が発振した場合の一の発振周波数に対応して複数の電圧電流特性曲線を記憶するものであり、前記選択手段により選択された一の電圧電流特性曲線に基づいて前記調整手段により調整された回線電圧値および回線電流値において、前記発振検出回路が回線の発振状態を検出した場合は、前記記憶手段から前記発振検出回路が検出した発振周波数に対応する他の電圧電流特性曲線を選択するものであることを特徴とする請求項５記載の通信装置。
【請求項７】
前記選択手段は、一の電圧電流特性曲線に基づいて前記調整手段により調整された回線電圧値および回線電流値において、前記発振検出回路が回線の発振状態を検出した場合は、前記電圧電流特性曲線以外の電圧電流特性曲線を選択するものであることを特徴とする請求項３から６のいずれかに記載の通信装置。
【請求項８】
前記選択手段は、電圧電流特性曲線を選択した場合は、いずれの電圧電流特性曲線を選択したかを記憶する選択済み記憶手段を備え、次にいずれかの電圧電流特性曲線を選択する際に、前記選択済み記憶手段に記憶された電圧電流特性曲線以外の電圧電流特性曲線を選択するものであることを特徴とする請求項７記載の通信装置。
【請求項９】
前記選択手段は、前記記憶手段に記憶された複数の電圧電流特性曲線のいずれかを任意に選択する選択操作手段を備えていることを特徴とする請求項１または２記載の通信装置。
【請求項１０】
前記選択操作手段は、回線が閉結されている場合に、前記記憶手段に記憶された複数の電圧電流特性曲線のいずれかを任意に選択するものであることを特徴とする請求項９記載の通信装置。
【発明の詳細な説明】
【技術分野】
【０００１】
本発明は、通信装置に関し、特に種々の回線に接続した場合に回線が発振しないように制御することができる通信装置に関するものである。
【背景技術】
【０００２】
公衆回線などには通信品質を維持するために規格が定められている。この回線に接続される通信装置は、その通信装置が備えられる場所などにより電話局に備えられた交換機と接続される回線の抵抗が変化するため、この規格を満足するように回線の電圧または電流などの制御を行っている。
【０００３】
例えば、特開２００４−１１２４９０号公報には、回線の電流と電圧とを検出し、この電流値と電圧値から回線のインピーダンスを求め、求められたインピーダンスに応じてモデムから送出される信号のレベルを制御している。
また、公衆回線などの規格を満足する回線の電流値と電圧値とを制御するために、回線の電流値に対応する電圧値の関係を示すＤＣマスクカーブを予め定め、そのＤＣマスクカーブに基づいて回線電流と回線電圧との値が規格を満足するように調整する方法が行われている。図１０は、この従来の技術であるＤＣマスクカーブを示すグラフである。
【０００４】
図１０は、横軸を回線電流値（右方が値が大きくなる方向）とし、縦軸を回線電圧（上方が値が大きくなる方向）を示し、２本の破線で示す公衆回線規格のカーブに挟まれた領域が、規格内の回線電流値および回線電圧値である。
【０００５】
この規格を満足する領域を通過するカーブであるＤＣマスクカーブ（実線で示す）を予め設定し、このＤＣマスクカーブに近い値を取るように回線のインピーダンスを制御し、回線電流と回線電圧とを設定する方法が行われいている。
【０００６】
例えば、図１０において、最初、Ａ点で示される規格外の回線電流値および回線電圧値であった場合に、Ａ点は、ＤＣマスクカーブより下方に位置するので、回線のインピーダンスを小さい値に変更する。すると、回線電流および回線電圧が変化し、Ｂ点になる。このＢ点は、同様に規格外でありＤＣマスクカーブより上方に位置するので、回線のインピーダンスを大きい値に変更する。すると、回線電流および回線電圧が変化し、Ｃ点になる。同様に、Ｃ点は、規格外であってＤＣマスクカーブより下方に位置するので、回線のインピーダンスを小さい値に変更すると回線電流と回線電圧は、Ｄ点で示すほぼＤＣマスクカーブ上に位置し、規格を満足する値に設定することができる。
【特許文献１】特開２００４−１１２４９０公報
【発明の開示】
【発明が解決しようとする課題】
【０００７】
しかしながら、上記のような方法で、回線電流および回線電圧を設定した場合に、回線の環境により回線が発振を起こすことがあった。この発振は、回線の状態が特定の周波数に共振する状態になったためであり、その発振周波数は、２０ｋＨｚから１ＭＨｚの可聴周波数より高い周波数帯域ではある。しかしながら回線が発振すると、ノイズが発生したりハンドセット通話時のエコーキャンセルがうまく機能しないなどの障害が発生するという問題点があった。
【０００８】
本発明は、上記問題点を解決するためになされたものであり、回線の発振を防止することができる通信装置を提供することを目的とする。
【課題を解決するための手段】
【０００９】
この目的を達成するために、請求項１記載の通信装置は、回線網との接続を制御する回線制御部とその回線網を介して情報の送受信を行う通信部とを備えたものであって、回線電圧または回線電流を検出する検出回路と、回線の規格を満足する回線電流値に対応する回線電圧値を規定する電圧電流特性曲線を複数記憶する記憶手段と、前記検出回路により回線閉結時の回線電圧または回線電流を検出するとともにその検出された電圧値または電流値に基づいて回線電圧値と回線電流値を取得し、その回線電圧値と回線電流値とが規格内になるように前記記憶手段に記憶された一の電圧電流特性曲線に基づいて回線電圧または回線電流を調整する調整手段と、その調整手段により調整された場合に、前記一の電圧電流特性曲線とは異なる電圧電流特性曲線を前記記憶手段に記憶された複数の電圧電流特性曲線の中から選択する選択手段と、その選択手段により選択された電圧電流特性曲線に基づいて回線電圧または回線電流を調整するように前記調整手段を制御する再調整手段とを備えている。
【００１０】
請求項２記載の通信装置は、請求項１記載の通信装置において、前記記憶手段は、回線の規格を満足する２つの電圧電流特性曲線を記憶するものであり、前記選択手段は、前記調整手段により一の電圧電流特性曲線に基づいて回線電圧または回線電流が調整された場合に、他の電圧電流特性曲線に切り替えを行うものである。
【００１１】
請求項３記載の通信装置は、請求項１または２記載の通信装置において、回線が発振状態であるか否かを検出する発振検出回路を備え、前記選択手段は、前記調整手段により一の電圧電流特性曲線に基づいて調整された回線電圧および回線電流において前記発振検出回路が発振状態であることを検出した場合は、前記記憶手段に記憶された他の電圧電流特性曲線を選択するものである。
【００１２】
請求項４記載の通信装置は、請求項３記載の通信装置において、前記記憶手段は、回線の規格を満足する３以上の電圧電流特性曲線を記憶するものであり、前記選択手段は、前記調整手段により一の電圧電流特性曲線に基づいて調整された回線電圧および回線電流において前記発振検出回路が発振状態であることを検出した場合は、前記記憶手段に記憶された３以上の電圧電流特性曲線を順次選択するように前記選択手段を制御するものである
。
【００１３】
請求項５記載の通信装置は、請求項１記載の通信装置において、回線が発振状態であるか否かを検出し、発振状態であることを検出した場合は、その発振周波数を検出する発振検出回路を備え、前記記憶手段は、回線が発振した場合の発振周波数に対応して電圧電流特性曲線を記憶するものであり、前記選択手段は、前記発振検出回路により検出された発振周波数に対応して記憶されている電圧電流特性曲線を選択するものである。
【００１４】
請求項６記載の通信装置は、請求項５記載の通信装置において、前記記憶手段は、回線が発振した場合の一の発振周波数に対応して複数の電圧電流特性曲線を記憶するものであり、前記選択手段により選択された一の電圧電流特性曲線に基づいて前記調整手段により調整された回線電圧値および回線電流値において、前記発振検出回路が回線の発振状態を検出した場合は、前記記憶手段から前記発振検出回路が検出した発振周波数に対応する他の電圧電流特性曲線を選択するものである。
【００１５】
請求項７記載の通信装置は、請求項３から６のいずれかに記載の通信装置において、前記選択手段は、一の電圧電流特性曲線に基づいて前記調整手段により調整された回線電圧値および回線電流値において、前記発振検出回路が回線の発振状態を検出した場合は、前記電圧電流特性曲線以外の電圧電流特性曲線を選択するものである。
【００１６】
請求項８記載の通信装置は、請求項７記載の通信装置において、前記選択手段は、電圧電流特性曲線を選択した場合は、いずれの電圧電流特性曲線を選択したかを記憶する選択済み記憶手段を備え、次にいずれかの電圧電流特性曲線を選択する際に、前記選択済み記憶手段に記憶された電圧電流特性曲線以外の電圧電流特性曲線を選択するものである。
【００１７】
請求項９記載の通信装置は、請求項１または２記載の通信装置において、前記選択手段は、前記記憶手段に記憶された複数の電圧電流特性曲線のいずれかを任意に選択する選択操作手段を備えている。
【００１８】
請求項１０記載の通信装置は、請求項９記載の通信装置において、前記選択操作手段は、回線が閉結されている場合に、前記記憶手段に記憶された複数の電圧電流特性曲線のいずれかを任意に選択するものである。
【発明の効果】
【００１９】
請求項１記載の通信装置によれば、検出回路は、回線電圧または回線電流を検出し、記憶手段は、回線の規格を満足する回線電流値に対応する回線電圧値を規定する電圧電流特性曲線を複数記憶し、調整手段は、検出回路により回線閉結時の回線電圧または回線電流を検出するとともにその検出された電圧値または電流値に基づいて回線電圧値と回線電流値を取得し、その回線電圧値と回線電流値とが規格内になるように記憶手段に記憶された一の電圧電流特性曲線に基づいて回線電圧または回線電流を調整する。
【００２０】
選択手段は、調整手段により電圧電流特性が調整された場合に、その調整に使用された電圧電流特性曲線とは異なる電圧電流特性曲線を記憶手段に記憶された複数の電圧電流特性曲線の中から選択し、再調整手段は、その選択手段により選択された電圧電流特性曲線に基づいて回線電圧または回線電流を調整する。よって、一の電圧電流特性曲線に基づいて電圧電流特性を調整した後、回線が発振するなどの不具合が発見された場合に、回線の発振を生じない電圧電流特性曲線を設定し、回線の発振を防止することができるという効果がある。
【００２１】
請求項２記載の通信装置によれば、請求項１記載の通信装置の奏する効果に加え、記憶手段は、回線の規格を満足する２つの電圧電流特性曲線を記憶するものであり、選択手段は、前記調整手段により一の電圧電流特性曲線に基づいて回線電圧または回線電流が調整された場合に、他の電圧電流特性曲線に切り替えを行うものであるので、２つの電圧電流特性曲線を記憶するという簡単な構成で回線の発振を防止することができるという効果がある。
【００２２】
請求項３記載の通信装置によれば、請求項１または２記載の通信装置の奏する効果に加え、回線が発振状態であるか否かを検出する発振検出回路を備え、選択手段は、調整手段により一の電圧電流特性曲線に基づいて調整された回線電圧および回線電流において発振検出回路が発振状態であることを検出した場合は、記憶手段に記憶された他の電圧電流特性曲線を選択するものであるので、使用者が回線の状態をチェックしたり、電圧電流特性を選択する必要がなく、使い勝手が良いという効果がある。
【００２３】
請求項４記載の通信装置によれば、請求項３記載の通信装置の奏する効果に加え、記憶手段は、回線の規格を満足する３以上の電圧電流特性曲線を記憶するものであり、選択手段は、調整手段により一の電圧電流特性曲線に基づいて調整された回線電圧および回線電流において発振検出回路が発振状態であることを検出した場合は、記憶手段に記憶された３以上の電圧電流特性曲線を順次選択するものであるので、より確実に回線の発振を防止することができるという効果がある。
【００２４】
請求項５記載の通信装置によれば、請求項１記載の通信装置の奏する効果に加え、回線が発振状態であるか否かを検出し、発振状態であることを検出した場合は、その発振周波数を検出する発振検出回路を備え、記憶手段は、回線が発振した場合の発振周波数に対応して電圧電流特性曲線を記憶するものであり、選択手段は、発振検出回路により検出された発振周波数に対応して記憶されている電圧電流特性曲線を選択するものであるので、より確実に回線が発振することを防止することができるとともに、順次複数の電圧電流特性曲線を選択して調整を行う場合に比べ、速く回線が発振を生じない電圧電流特性曲線を設定することができるという効果がある。
【００２５】
請求項６記載の通信装置によれば、請求項５記載の通信装置の奏する効果に加え、記憶手段は、回線が発振した場合の一の発振周波数に対応して複数の電圧電流特性曲線を記憶するものであり、選択手段により選択された一の電圧電流特性曲線に基づいて調整手段により調整された回線電圧値および回線電流値において、発振検出回路が回線の発振状態を検出した場合は、記憶手段から発振検出回路が検出した発振周波数に対応する他の電圧電流特性曲線を選択するものであるので、より確実に回線が発振を生じない電圧電流特性曲線を設定することができるという効果がある。
【００２６】
請求項７および８記載の通信装置によれば、請求項３から６のいずれかに記載の通信装置の奏する効果に加え、選択手段は、一の電圧電流特性曲線に基づいて調整手段により調整された回線電圧値および回線電流値において、発振検出回路が回線の発振状態を検出した場合は、前記電圧電流特性曲線以外の電圧電流特性曲線を選択するものであるので、同じ電圧電流特性曲線に基づいて調整が繰り返されることを防止することができるという効果がある。
【００２７】
請求項９記載の通信装置によれば、請求項１または２記載の通信装置の奏する効果に加え、選択手段は、記憶手段に記憶された複数の電圧電流特性曲線のいずれかを任意に選択する選択操作手段を備えているので、通信装置の使用者が使用状態に応じて回線が発振を生じない電圧電流特性曲線を設定することができるという効果がある。
【００２８】
請求項１０記載の通信装置によれば、請求項９記載の通信装置の奏する効果に加え、選択操作手段は、回線が閉結されている場合に、記憶手段に記憶された複数の電圧電流特性曲線のいずれかを任意に選択するものであるので、使用者が通信を行っている状態で電圧電流特性曲線を選択することができる。特に、通信装置が電話機である場合には、回線の発振に起因するノイズを聞くことにより、回線の状態を把握することができるので、より適切に回線の発振を防止することができる。
【発明を実施するための最良の形態】
【００２９】
以下、本発明の好ましい第１の実施形態について、添付図面を参照して説明する。図１は、本発明の通信装置１の外観を示した斜視図である。通信装置１は、ファクシミリ、コピー、スキャナ、電話などの複数の機能を備えた複合機であって、本体２において、下側本体２ａに対して上側本体２ｂを開閉可能に取付け、下側本体２ａにプリンタ２５（図２参照）が組み込まれている。
【００３０】
上側本体２ｂの正面側には操作パネル４が配置され、ファクシミリ機能、スキャナ機能、コピー機能の各種動作態様を設定または指示するためのスイッチ、数値を入力するためのテンキー、カーソルの十字の方向を選択するためのカーソルキー４ａ、入力設定の確定を指示するための確定キー４ｂ、各種入力や設定を行うためのボタンやスイッチおよび液晶により形成される表示器５（以下、ＬＣＤと称す）などが備えられている。
【００３１】
通信装置１の上側本体２ｂには、原稿排出口７と原稿挿入口８とが備えられ、原稿挿入口８から挿入された原稿は、自動給紙装置によりスキャナ２２（図２参照）を経由して原稿排出口７へ搬送され、原稿から画像が読み取られる。
【００３２】
また、上側本体２ｂに組み込まれたスキャナ２２は、プラテンガラスに載置された原稿から画像を読取る。プラテンガラスは、原稿押さえカバー６の下部に水平に配置されている。
【００３３】
下側本体２ａの下側には図示しない給紙トレイが挿入され、給紙トレイから記録紙が取り出されて、スキャナ２２により読み取られた画像データまたはファクシミリにより受信した画像データは、プリンタ２５により画像が印刷される。印刷された記録紙は、下側本体２ａの正面に形成された排紙口９から排出される。
【００３４】
次に、図２を参照して通信装置１の電気的構成について説明する。図２は、通信装置１の電気的構成を示すブロック図である。通信装置１には、ＣＰＵ１１、ＲＯＭ１２、ＥＥＰＲＯＭ１３、ＲＡＭ１４、画像メモリ１５、回線Ｉ／Ｆ部１９、モデム２０、バッファ２１、スキャナ２２、符号化部２３、復号化部２４、プリンタ２５、操作パネル４、ＬＣＤ５およびアンプ２７が設けられており、これらはバスライン３０を介して互いに接続されている。
【００３５】
回線Ｉ／Ｆ部１９は、回線制御を行うものであり、半導体ＤＡＡ３３（データ  アクセス  アレンジメント）を有している（図３参照）。通信装置１は、この回線Ｉ／Ｆ部１９を介して電話回線３１に接続されている。回線Ｉ／Ｆ部１９は、交換機２９から送られる呼び出し信号や相手側装置の電話番号を示す信号などの各種信号を受信するとともに、操作パネル４上のキーの操作に応じた発信時のダイヤル信号を交換機２９へ送信する。また、外付け電話端子Ｔ１、Ｔ２を介して外付け電話機３が接続される。
【００３６】
ＣＰＵ１１は、回線Ｉ／Ｆ部１９を介して送受信される各種信号に従って、バスライン３０に接続された各部を制御するものである。ＲＯＭ１２は、ＣＰＵ１１で実行される制御プログラムや回線の電圧値および電流値を制御する際に使用される複数のＤＣマスクカーブを記憶するＤＣマスクカーブメモリ１２ａなどを有する書き換え不能なメモリであり、後述する処理を示すフローチャートに示すプログラムは、このＲＯＭ１２に記憶されている。
【００３７】
ＲＡＭ１４は、ＣＰＵ１１が制御プログラムを実行する際、一時的に各種データを記憶するメモリであり、選択されたＤＣマスクカーブの種別を示す識別子（ｔｅｍｐ）を記憶する領域であるｔｅｍｐメモリ１４ａおよび試行されたＤＣマスクカーブの種別を記憶する領域である試行済みＤＣマスクカーブ種別メモリ１４ｂが備えられている。
【００３８】
ＥＥＰＲＯＭ１３は、書き換え可能な不揮発性のメモリであり、ＲＯＭ１２に記憶された複数のＤＣマスクカーブのうちいずれのものを使用して回線を調整するかを設定したＤＣマスクカーブの種別を記憶する領域であるＤＣマスクカーブ種別メモリ１３ａと、そのＤＣマスクカーブの種別が設定されているか否かを示すフラグであるＤＣマスクカーブ設定済みフラグを記憶する領域であるＤＣマスクカーブ設定済みフラグメモリ１３ｂが備えられている。
【００３９】
画像メモリ１５は、画像データを記憶するメモリであり、受信された画像データは、この画像メモリ１５に記憶されプリンタ２５により記録紙に印刷された後、この画像メモリ１５から消去される。また、スキャナ２２により読取られた画像データもこの画像メモリ１５に記憶され、ファクシミリによる送信機能が設定されている場合には、回線Ｉ／Ｆ部１９を介して送信され、コピー機能が設定されている場合には、プリンタ２５により印刷され、その後、この画像メモリ１５から消去される。
【００４０】
モデム２０は、画像情報および通信データを変調および復調して伝送するとともに伝送制御用の各種手順信号を送受信するためのものである。バッファ２１は、相手側装置との間で送受信される符号化された画像情報を含むデータを一時的に記憶するものである。
【００４１】
スキャナ２２は、原稿挿入口８に挿入された原稿またはプラテンガラスに載置された原稿の画像を読取るものであり、符号化部２３は、スキャナ２２により読取られた画像データを符号化するものである。復号化部２４は、バッファ２１または画像メモリ１５に記憶された画像データを読出して復号化するもので、復号化されたデータは、プリンタ２５により記録紙に印刷される。
【００４２】
プリンタ２５は、インクジェット方式のプリンタで構成され画像データに基づいて記録紙に印刷を行うものである。アンプ２７は、呼び出し音や音声の電気信号を増幅するもので、接続されたスピーカ２８を駆動するものである。
【００４３】
このように構成された通信装置１は、回線Ｉ／Ｆ部１９を介して電話回線３１に接続され、電話回線３１は、交換機２９に接続されている。この交換機２９は、電話回線３２を介して他の交換機に接続され、他の交換機は、更に他の電話回線を介して相手側装置や送信先となる他の装置に接続されている。
【００４４】
図３は、回線Ｉ／Ｆ部１９の構成を示すブロック図である。回線Ｉ／Ｆ部１９は、半導体ＤＡＡ３３と、電話とファクシミリとを切り替えるＣＭＬ（Connect MODEM to Line）
リレー３６と、整流ブリッジ３７と、直流ループカット用コンデンサ３８ａ、３８ｂ、３８ｃ、３８ｄと、トランジスタ４５と、発振検出回路５０等が設けられている。なお、Ｌ１、Ｌ２は、電話回線３１側への端子であり、Ｔ１、Ｔ２は、外付け電話３へ接続される端子である。
【００４５】
半導体ＤＡＡ３３とモデム２０とは、直流的に絶縁し、かつデータ・信号などを伝達する絶縁部３５とモデム２０から半導体ＤＡＡ３３へ電力を供給するトランス４６が接続されている。
【００４６】
半導体ＤＡＡ３３は、ハイブリッドネットワーク４４と、ＣＯＤＥＣ４０と、リング検出回路３９と、送信アンプ４２と、トーンアンプ４３と、シリアルＩ／Ｆ４１と、電圧検出回路３４とを備えている。
【００４７】
ハイブリッドネットワーク４４は、回線網の開放または閉結を行うものであり、電話回線３１からのファクシミリデータを送信受信に分離する２線−４線変換回路、送信データの受信経路への回り込みを抑制するキャンセラー回路およびフィルタ回路等から構成される。このハイブリッドネットワーク４４には、回線網の整流ブリッジ３７の正極とコンデンサーと抵抗を介して接続され、ＣＯＤＥＣ４０とは、送信アンプ４２を介して接続され、トランジスタ４５のベースと、またシリアルＩ／Ｆ４１と接続されている。
【００４８】
ＣＯＤＥＣ４０は、ファクシミリの受信データおよび送信データのＡ／Ｄ変換およびＤ／Ａ変換を行うもので、回路網および外付け電話とはトーンアンプ４３を介して接続され、ハイブリッドネットワーク４４とは、送信アンプ４２を介して接続されている。
【００４９】
送信アンプ４２は、送信データのゲイン調整を行うものであり、トーンアンプ４３は、差動型の増幅器であり、電話回線３１端子Ｌ１、Ｌ２に対し、差動入力になっている。
【００５０】
ＣＯＤＥＣ４０に電話回線３１または外付け電話３からトーン信号が到来すると、トーンアンプ４３→ＣＯＤＥＣ４０→シリアルＩ／Ｆ４１→絶縁部３５→モデム２０の順に伝達され、ＣＯＤＥＣ４０から送信されるトーン検出信号がＣＰＵ１１に入力される。
【００５１】
リング検出回路３９は、回路網および外付け電話３とコンデンサ３８ａ、３８ｂを介して接続され、リング検出回路の出力は、シリアルＩ／Ｆ４１に接続されている。リング検出回路３９に電話回線３１からリング信号が到来すると、リング検出回路３９は、これを検出し、リング検出信号をシリアルＩ／Ｆ４１へ出力する。
【００５２】
シリアルＩ／Ｆ４１は、リング検出回路３９から入力したリング検出信号やＣＯＤＥＣ４０から入力したファクシミリの受信データをシリアル信号に変換してコンデンサ３５ｂを介してモデム２０へ送信する一方、電話回線３１の閉結、開放を行う制御信号およびファクシミリの送信データをモデム２０からコンデンサ３５ａを介して入力し、それぞれに分配するものである。電圧検出回路３４は、整流ブリッジ３７と抵抗を介して接続され、電話回線３１の回線電圧を検出するものである。
【００５３】
トランジスタ４５は、電圧検出回路３４により検出される回線電圧に基づいて、回線が規格により定められた電圧電流特性となるように、調整するものであり、トランジスタ４５のベース電位を変化することにより、回線のインピーダンスを調整することができる。
【００５４】
発振検出回路５０は、電話回線３１が閉結された場合に回線が発振を起こした場合に、その発振周波数を検出するものである。この発振検出回路５０は、例えば、回線の電圧を２０ｋＨｚから１００ｋＨｚ、１００ｋＨｚから２００ｋＨｚ、２００ｋＨｚから７５０ｋＨｚ、７５０ｋＨｚから１ＭＨｚの周波数帯域に対応するバンドパスフィルタに入力し、各周波数帯域のレベルが所定のレベルより大きい場合に、その周波数帯域において発振しているということを検出する回路により構成される。また、発振検出回路５０は、回線網Ｌ１とＬ２とが入力として接続され、発振検出回路５０が検出した発振周波数を示す発振検出信号は、ＣＰＵ１１へ出力される。
【００５５】
次に、上記のように構成された通信装置１において、受信または送信が開始される場合に実行される電圧電流特性調整処理について、図１１に示すフローチャートを参照して説明する。図１１は、通信装置１において、設定されているＤＣマスクカーブに従って、回線の電圧電流特性を調整する処理である電圧電流特性調整処理を示すフローチャートである。なお、この処理は、回線が閉結された後行われる。
【００５６】
まず、電圧検出回路３４により検出された回線電圧の値をチェックする（Ｓ７１）。この回線電圧が、限界電圧（例えば、１００Ｖ）を越えているか否かを判断する（Ｓ７２）。回線電圧が限界電圧を超えていない場合は（Ｓ７２：Ｙｅｓ）、回線が正常な状態であり、現在設定されているＤＣインピーダンスに基づいて回線の電流値を取得する（Ｓ７３）。次に、検出した回線電圧の値が、取得した回線の電流値に対応し、設定されているＤＣマスクカーブにより規定される電圧値の±０．５Ｖ以内であるか否かを判断する（Ｓ７４）。ここで、設定されているＤＣマスクカーブとは、通信装置１において、電圧電流特性調整処理において適用するように予め定められたＤＣマスクカーブをいい、ＲＯＭ１２に複数のＤＣマスクカーブが記憶されている場合には、ＥＥＰＲＯＭ１３のＤＣマスクカーブ種別メモリ１３ａに種別が記憶され、適切なＤＣマスクカーブを選択するにあたって試行が行われる場合にはＲＡＭ１４のｔｅｍｐメモリ１４ａに種別が記憶される。
【００５７】
回線電圧が、ＤＣマスクカーブにより規定される電圧値の±０．５Ｖ以内ではない場合は（Ｓ７４：Ｎｏ）、トランジスタ４５のベース電位を変化することにより、回線のインピーダンスを調整し（Ｓ７５）、Ｓ７２の処理へ戻る。
【００５８】
回線電圧が、ＤＣマスクカーブにより規定される電圧値の±０．５Ｖ以内である場合は（Ｓ７４：Ｙｅｓ）、この電圧電流特性調整処理を終了する。一方、Ｓ７３の処理で、回線電圧が限界電圧を超えている場合は（Ｓ７２：Ｎｏ）、回線が異常な状態であるので回線を開放し（Ｓ７６）、この電圧電流特性調整処理を終了する。
【００５９】
以上のようにして、送受信を開始する場合に回線電圧および回線電流が規格により規定される特性になるように設定されているＤＣマスクカーブに基づいて調整が行われる。
【００６０】
次に、使用者により通信装置１が設置される場合、言換えれば通信装置１の電源が投入された際に行われるＤＣマスクカーブを選択する処理について図４に示すＤＣマスクカーブのテーブルと図５に示すフローチャートとを参照して説明する。
【００６１】
図４は、ＲＯＭ１２のＤＣマスクカーブメモリ１２ａに記憶されたＤＣマスクカーブを示すテーブルである。ＲＯＭ１２には、５つの回線の発振状態に対応して適用するＤＣマスクカーブが記憶されている。各ＤＣマスクカーブは、電圧電流特性の５つのポイントを記憶するものであり、各ポイントの中間の特性は、そのポイントの両側のポイントの値に基づいて直線補間により求めるものである。
【００６２】
テーブルの第１行に示されている「発振なし」と示されるＤＣマスクカーブは、種別がＡであり、このＤＣマスクカーブの電圧電流特性は、第１のポイントとして電圧値４０００ｍＶ（４Ｖ）、電流値０ｍＡ、第２のポイントとして、電圧値４Ｖ、電流値２０ｍＡ、第３のポイントとして電圧値８Ｖ、４０ｍＡ、第４のポイントして電圧値９．５Ｖ、６０ｍＡ、第５のポイントして１５Ｖ、１５０ｍＡが記憶されている。
【００６３】
例えば、ＲＯＭ１２に記憶されていないポイントである電流値が１０ｍＡの場合は、この値の両側のポイントとなる第１のポイントが４Ｖ、０ｍＡであり、第２のポイントが４Ｖ、２０ｍＡであるので、４Ｖの値となる。同様に、電流値が３０ｍＡの場合は、第２のポイントと第３のポイントの中間値であるので、６Ｖとなる。
【００６４】
テーブルの第２行には、回線が発振し、その発振周波数が２０ｋＨｚから１００ｋＨｚである場合に適用するＤＣマスクカーブが記憶され、そのＤＣマスクカーブは、種別がＢであり、第１のポイントの電圧値は、５Ｖ、電流値は、０ｍＡであり、第２のポイントの電圧値は、６Ｖ、電流値は、２１ｍＡ、以下、テーブルに示す通り記憶されている。
【００６５】
同様に、テーブルの第３行には、回線が発振し、その発振周波数が１００ｋＨｚから２００ｋＨｚである場合に適用するＤＣマスクカーブは、種別がＣであり、第４行には、回線が発振し、その発振周波数が２００ｋＨｚから７５０ｋＨｚである場合に適用するＤＣマスクカーブは、種別がＢであり、第５行には、回線が発振し、その発振周波数が７５０ｋＨｚから１ＭＨｚである場合に適用するＤＣマスクカーブは、種別がＤであると記憶され、それぞれのＤＣマスクカーブの５つのポイントの電圧値と電流値が記憶されている。
【００６６】
従って、発振周波数が２０ｋＨｚから１００ｋＨｚの場合と２００ｋＨｚから７５０ｋＨｚの場合は、同一のＤＣマスクカーブが適用されるように記憶されている。また、第１行に記憶されたＤＣマスクカーブ（種別Ａ）は、予め設定される（デフォルト）ＤＣマスクカーブであって、このＤＣマスクカーブを適用することにより回線が発振しない場合は、このＤＣマスクカーブが、この通信装置１により適用されるＤＣマスクカーブとして設定される。
【００６７】
次に、図５に示すフローチャートを参照してＤＣマスクカーブ設定処理について説明する。このＤＣマスクカーブ設定処理は、通信装置１の電源が投入された場合に実行される。
【００６８】
まず、電圧検出回路３４により検出された回線電圧をチェックする（Ｓ１）。次に、回線電圧が回線に接続できる最低電圧以上であるか否かを判断する（Ｓ２）。回線電圧が回線に接続できる最低電圧以上である場合は（Ｓ２：Ｙｅｓ）、ＥＥＰＲＯＭ１３のＤＣマスクカーブ設定済みフラグメモリ１３ｂをチェックし、ＤＣマスクカーブが既に設定されているか否かを判断する（Ｓ３）。ＤＣマスクカーブが設定されていない場合は（Ｓ３：Ｎｏ）、ｔｅｍｐメモリ１４ａにＤＣマスクカーブの種別Ａを記憶し（Ｓ４）、回線を閉結する（Ｓ５）。次に、電圧電流特性調整処理を行う（Ｓ６）。この電圧電流特性調整処理は、図１１に示す電圧電流特性調整処理であり、ＲＯＭ１２に記憶された種別がＡのＤＣマスクカーブに基づいて回線電圧および回線電流が調整される。
【００６９】
次に、電圧電流特性調整処理により調整された状態において、発振検出回路５０が出力する発振検出信号に基づいて回線が発振しているか否かを判断する（Ｓ７）。回線が発振していない場合は（Ｓ７：Ｎｏ）、適用するＤＣマスクカーブの種別をＡに設定する（Ｓ８）。ここで、ＤＣマスクカーブの種別をＡに設定するとは、ＥＥＰＲＯＭ１３のＤＣマスクカーブ種別メモリ１３ａに種別Ａと記憶することである。このようにして設定されたＤＣマスクカーブの種別に基づいて、以後、送受信が開始される場合に電圧電流特性調整処理において回線の電圧電流特性が調整される。
【００７０】
Ｓ７の判断処理において、回線が発振していると判断した場合は（Ｓ７：Ｙｅｓ）、発振検出回路５０が出力する発振検出信号に基づいて発振周波数は、２０ｋＨｚから１００ｋＨｚまたは２００ｋＨｚから７５０ｋＨｚであるか否かを判断する（Ｓ９）。発振周波数が、２０ｋＨｚから１００ｋＨｚまたは２００ｋＨｚから７５０ｋＨｚである場合は（Ｓ９：Ｙｅｓ）、適用するＤＣマスクカーブの種別をＢに設定する（Ｓ１０）。
【００７１】
発振周波数が、２０ｋＨｚから１００ｋＨｚまたは２００ｋＨｚから７５０ｋＨｚではない場合は（Ｓ９：Ｎｏ）、発振検出回路５０が出力する発振検出信号に基づいて発振周波数が、１００ｋＨｚから２００ｋＨｚであるか否かを判断する（Ｓ１１）。発振周波数が、１００ｋＨｚから２００ｋＨｚである場合は（Ｓ１１：Ｙｅｓ）、適用するＤＣマスクカーブの種別をＣに設定する（Ｓ１２）。発振周波数が、１００ｋＨｚから２００ｋＨｚではない場合は（Ｓ１１：Ｎｏ）、適用するＤＣマスクカーブの種別をＤに設定する（Ｓ１３）。
【００７２】
Ｓ８またはＳ１０またはＳ１２またはＳ１３の処理においてＤＣマスクカーブの設定を終了した場合は、回線を開放し（Ｓ１４）、ＥＥＰＲＯＭ１３のＤＣマスクカーブ設定済みフラグメモリに記憶されているＤＣマスクカーブ設定済みフラグをセットし（Ｓ１５）、このＤＣマスクカーブ設定処理を終了する。Ｓ２の処理において、回線電圧が回線に接続できる最低電圧以上でない場合（Ｓ２：Ｎｏ）、またＳ３の処理でＤＣマスクカーブが既に設定されている場合は（Ｓ３：Ｙｅｓ）、このＤＣマスクカーブ設定処理を終了する。この処理が終了した後は、通信装置１が受信または使用者による操作を待機し、受信または使用者の操作に応じて処理を行う。
以上説明したように、第１の実施形態では、ＲＯＭ１２に、デフォルトのＤＣマスクカーブと回線が発振した場合の発振周波数に対応し、発振が生じないＤＣマスクカーブが記憶されている。通信装置１を最初に設置した場合には、デフォルトのＤＣマスクカーブに基づいて回線の電圧電流特性が調整され、その特性において回線が発振した場合は、その発振周波数に応じたＤＣマスクカーブが設定される。したがって、通信装置１自身により回線が発振しないように制御することができる。
【００７３】
次に、第２の実施形態について図６および図７を参照して説明する。なお、前記した第１の実施形態の通信装置１と同一の部分は説明を省略し、異なる部分についてのみ説明する。第１の実施形態では、デフォルトのＤＣマスクカーブにより回線の電圧電流特性を調整し、調整が完了した状態で回線が発振した場合は、その発振周波数に対応し、発振を生じない他のＤＣマスクカーブを選択するものとしたが、第２の実施形態では、発振周波数に対応して複数のＤＣマスクカーブを記憶し、発振周波数に応じて選択したＤＣマスクカーブに基づいて回線の電圧電流特性を調整したが、やはり同じ発振周波数で発振した場合には、発振周波数に対応する他のＤＣマスクカーブを選択できるようにしたものである。
【００７４】
図６は、ＲＯＭ１２のＤＣマスクカーブメモリ１２ａに記憶されたＤＣマスクカーブを示すテーブルである。第１の実施形態と同様にＤＣマスクカーブメモリ１２ａには、５つの回線の発振状態に対応して適用するＤＣマスクカーブが記憶されている。回線が発振した場合の４種類の発振周波数に対応して、それぞれ３つのＤＣマスクカーブが記憶されている。
【００７５】
各ＤＣマスクカーブは、第１の実施形態と同じく電圧電流特性の５つのポイントを記憶するものであり、各ポイントの中間の特性は、そのポイントの両側のポイントの値に基づいて直線補間により求めるものである。テーブルの第１行に示されている「発振なし」と示されるＤＣマスクカーブは、第１の実施形態のものと同一の種別がＡのものである。
【００７６】
テーブルの第２から４行には、回線が発振し、その発振周波数が２０ｋＨｚから１００ｋＨｚである場合に適用する３つのＤＣマスクカーブ、種別Ｂ１、Ｂ２、Ｂ３が記憶され、テーブルの第５から７行には、回線が発振し、その発振周波数が１００ｋＨｚから２００ｋＨｚである場合に適用する３つのＤＣマスクカーブ、種別Ｃ１、Ｃ２、Ｃ３が記憶され、テーブルの第８から１０行には、回線が発振し、その発振周波数が２００ｋＨｚから７５０ｋＨｚである場合に適用する３つのＤＣマスクカーブ、種別Ｄ１、Ｄ２、Ｄ３が記憶され、テーブルの第１１から１３行には、回線が発振し、その発振周波数が７５０ｋＨｚから１ＭＨｚである場合に適用する３つのＤＣマスクカーブ、種別Ｅ１、Ｅ２、Ｅ３がそれぞれ記憶されている。
【００７７】
次に、図７に示すフローチャートを参照して第２実施形態におけるＤＣマスクカーブ設定処理について説明する。このＤＣマスクカーブ設定処理は、通信装置１の電源が投入された場合に実行される。
【００７８】
まず、電圧検出回路３４により検出された回線電圧をチェックする（Ｓ２１）。次に、回線電圧が回線に接続できる最低電圧以上であるか否かを判断する（Ｓ２２）。回線電圧が回線に接続できる最低電圧以上である場合は（Ｓ２２：Ｙｅｓ）、ＥＥＰＲＯＭ１３のＤＣマスクカーブ設定済みフラグメモリ１３ｂをチェックし、ＤＣマスクカーブが既に設定されているか否かを判断する（Ｓ２３）。ＤＣマスクカーブが設定されていない場合は（Ｓ２３：Ｎｏ）、ｔｅｍｐメモリ１４ａにＤＣマスクカーブの種別Ａを記憶し（Ｓ２４）、回線を閉結する（Ｓ２５）。次に電圧電流特性調整処理を行う（Ｓ２６）。この電圧電流特性調整処理は、図１１に示す電圧電流特性調整処理であり、ＲＯＭ１２に記憶された種別のうちｔｅｍｐメモリ１４ａに記憶される種別のＤＣマスクカーブに基づいて回線電圧および回線電流が調整される。
【００７９】
次に、電圧電流特性調整処理により調整された状態において、発振検出回路５０が出力する発振検出信号に基づいて回線が発振しているか否かを判断する（Ｓ２７）。回線が発振している場合は（Ｓ２７：Ｙｅｓ）、発振検出回路５０が出力する発振検出信号が示す発振周波数を取得し、その発振周波数に対応するＤＣマスクカーブをＲＯＭ１２に記憶したテーブルに未試行のＤＣマスクカーブがあるか否かを判断する（Ｓ２８）。この判断は、ＲＡＭ１４の試行済みＤＣマスクカーブ種別メモリ１４ｂを参照して行われる。ＲＯＭ１２には、発振周波数に対応して複数のＤＣマスクカーブが記憶されており、すでに試行されたＤＣマスクカーブの種別は、後述するＳ２９においてＲＡＭ１４に記憶される。
【００８０】
未試行のＤＣマスクカーブが存在する場合は（Ｓ２８：Ｙｅｓ）、未試行のＤＣマスクカーブの中から記憶されている順序に従って選択し（Ｓ２９）、選択したＤＣマスクカーブの種別をＲＡＭ１４の試行済みＤＣマスクカーブ種別メモリ１４ｂに記憶する（Ｓ３０）とともに、ｔｅｍｐメモリ１４ａにも記憶しＳ２５の処理に戻る。したがって、以降は、Ｓ２９の処理により選択されたＤＣマスクカーブに基づいてＳ２６の電圧電流特性調整処理が行われる。
【００８１】
Ｓ２７の処理において、回線が発振していないと判断された場合は（Ｓ２７：Ｎｏ）、ｔｅｍｐメモリ１４ａに記憶されているＤＣマスクカーブの種別を設定する（ＥＥＰＲＯＭ１３のＤＣマスクカーブ種別メモリ１３ａに記憶する）。Ｓ２８の処理において、発振周波数に対応する未試行のＤＣマスクカーブがない場合は（Ｓ２８：Ｎｏ）、ＬＣＤ５に発振状態であることのエラー表示を行い（Ｓ３２）、ＤＣマスクカーブの種別をＡに設定する。Ｓ３１およびＳ３２の処理でＤＣマスクカーブの設定を行った後は、次に回線を開放し（Ｓ３４）、ＥＥＰＲＯＭ１３のＤＣマスクカーブ設定済みフラグメモリに記憶されているＤＣマスクカーブ設定済みフラグをセットし（Ｓ３５）、このＤＣマスクカーブ設定処理を終了する。
【００８２】
以上説明したように、第２の実施形態では、ＲＯＭ１２に、デフォルトのＤＣマスクカーブと、回線が発振した場合の発振周波数に対応し、複数のＤＣマスクカーブが記憶されている。通信装置１を最初に設置した場合には、デフォルトのＤＣマスクカーブに基づいて回線の電圧電流特性が調整され、その状態において回線が発振した場合は、その発振周波数に応じたＤＣマスクカーブが設定される。更に、その状態において回線が発振した場合は、再度その発振周波数に応じたＤＣマスクカーブが設定される。発振周波数に応じて複数のＤＣマスクカーブが記憶されているので、発振周波数により選択されたＤＣマスクカーブにより回線の電圧電流特性が調整され、その調整された状態でも同じ発振周波数で回線が発振した場合でも、他のＤＣマスクカーブを選択することができる。したがって、より確実に回線が発振することを防止することができる。
【００８３】
次に、第３の実施形態について図８を参照して説明する。なお、前記した第１の実施形態の通信装置１と同一の部分は説明を省略し、異なる部分についてのみ説明する。第１および第２の実施形態では、デフォルトのＤＣマスクカーブにより回線の電圧電流特性を調整し、調整が完了した状態で回線が発振した場合は、その発振周波数に対応し、発振を生じない他のＤＣマスクカーブを選択するものとしたが、第３の実施形態では、デフォルトのＤＣマスクカーブに基づいて回線の電圧電流特性を調整し、調整が完了した状態で回線が発振した場合は、発振周波数に依らず、ＲＯＭ１２に記憶されている複数のＤＣマスクカーブを順次選択し、回線が発振しないＤＣマスクカーブを設定するものである。
【００８４】
この実施形態では、ＲＯＭ１２に記憶されているＤＣマスクカーブは、第１の実施形態においてＲＯＭ１２に記憶されているＤＣマスクカーブ（図４参照）、種別Ａ，Ｂ，Ｃ，Ｄの４つのＤＣマスクカーブが順に記憶されているものとする。
【００８５】
図８は、第２の実施形態におけるＤＣマスクカーブ設定処理を示すフローチャートである。このＤＣマスクカーブ設定処理は、第１の実施形態と同様に通信装置１の電源が投入された場合に実行される。
【００８６】
まず、電圧検出回路３４により検出された回線電圧をチェックする（Ｓ４１）。次に、回線電圧が回線に接続できる最低電圧以上であるか否かを判断する（Ｓ４２）。回線電圧が回線に接続できる最低電圧以上である場合は（Ｓ４２：Ｙｅｓ）、ＥＥＰＲＯＭ１３のＤＣマスクカーブ設定済みフラグメモリ１３ｂを参照し、ＤＣマスクカーブが既に設定されているか否かを判断する（Ｓ４３）。ＤＣマスクカーブが設定されていない場合は（Ｓ４３：Ｎｏ）、ｔｅｍｐメモリ１４ａにＤＣマスクカーブの種別Ａを記憶し（Ｓ４４）、回線を閉結する（Ｓ４５）。次に電圧電流特性調整処理を行う（Ｓ４６）。この電圧電流特性調整処理は、図１１に示す電圧電流特性調整処理であり、ＲＯＭ１２に記憶された種別がＡのＤＣマスクカーブに基づいて回線電圧および回線電流が調整される。
【００８７】
次に、電圧電流特性調整処理により調整された状態において、発振検出回路５０が出力する発振検出信号に基づいて回線が発振しているか否かを判断する（Ｓ４７）。回線が発振している場合は（Ｓ４７：Ｙｅｓ）、まだ試行してしていないＤＣマスクカーブがＲＯＭ１２に記憶されているか否かを判断し（Ｓ４８）、まだ試行していないＤＣマスクカーブが存在する場合は、そのＤＣマスクカーブの種別をｔｅｍｐメモリ１４ａに記憶し（Ｓ４９）、Ｓ４６の電圧電流特性調整処理へ戻る。
【００８８】
Ｓ４７の判断処理で、回線が発振していないと判断した場合は（Ｓ４７：Ｎｏ）、現在ｔｅｍｐメモリ１４ａに記憶されている（試行を行った）ＤＣマスクカーブを通信装置１に適用するものとして設定する（ＥＥＰＲＯＭ１３のＤＣマスクカーブの種別を記憶する領域にその種別を記憶する）。一方、Ｓ４８の処理において、未試行のＤＣマスクカーブがないと判断した場合は（Ｓ４８：Ｎｏ）、ＲＯＭ１２に記憶されているいずれのＤＣマスクカーブでも回線が発振したことになるので、その旨をＬＣＤ５に表示し（Ｓ５１）、ＤＣマスクカーブの種別をＡとして設定する（Ｓ５２）。
【００８９】
Ｓ５０またはＳ５２の処理によりＤＣマスクカーブを設定した後、回線を開放し（Ｓ５３）、ＥＥＰＲＯＭ１３のＤＣマスクカーブ設定済みフラグメモリ１３ｂに記憶されているＤＣマスクカーブ設定済みフラグをセットし（Ｓ５４）、このＤＣマスクカーブ設定処理を終了する。Ｓ４２の処理において、回線電圧が回線に接続できる最低電圧以上でない場合（Ｓ４２：Ｎｏ）、またＳ４３の処理でＤＣマスクカーブが既に設定されている場合は（Ｓ４３：Ｙｅｓ）、このＤＣマスクカーブ設定処理を終了する。この処理が終了した後は、通信装置１が受信または使用者による操作を待機し、受信または使用者の操作に応じて処理を行う。
【００９０】
なお、第３の実施形態では、回線が発振した場合の発振周波数を検出する必要がないので、発振検出回路５０は、例えば、回線の電圧をカットオフ周波数を２０ｋＨｚとするハイパスフィルタに入力し、そのハイパスフィルタの出力レベルが所定値以上になった場合に回線が発振しているものとして発振検出信号を出力するものとしてもよい。
【００９１】
以上説明したように第３の実施形態によれば、ＲＯＭ１２には、複数のＤＣマスクカーブが記憶され、そのうちのいずれかのＤＣマスクカーブに基づいて回線の電圧電流特性を調整し回線が発振した場合は、順次、他のＤＣマスクカーブを選択し、発振を生じないＤＣマスクカーブを通信装置１に適用するものとして設定することができる。
【００９２】
次に、第４の実施形態について、図９を参照して説明する。なお、前記した第１の実施形態の通信装置１と同一の部分は説明を省略し、異なる部分についてのみ説明する。第１、第２および第３の実施形態では、デフォルトのＤＣマスクカーブにより回線の電圧電流特性を調整し、調整が完了した状態で回線が発振したか否かを検出する発振検出回路を備え、その発振検出回路の出力に応じてＲＯＭ１２に記憶されている複数のＤＣマスクカーブを選択するものとしたが、第４の実施形態では、複数のＤＣマスクカーブのいずれかを使用者が任意に選択することができる選択操作子を備え、使用者が最もよいＤＣマスクカーブを選択設定することができるものである。この第４の実施形態では、ＲＯＭ１２には、図４に示すＤＣマスクカーブのうち、種別Ａと種別Ｂの２つのＤＣマスクカーブが記憶されているものとする。
【００９３】
操作手順は、まず、通信装置１の操作パネル４に備えられているカーソルキー４ａなどにより、ＤＣマスクカーブを選択するモードに設定する。このとき、ＬＣＤ５に現在設定されているＤＣマスクカーブに対応する表示が行われる。例えば、ＤＣマスクカーブの種別Ａが設定されている場合には、「レベル１」と表示し、種別Ｂが設定されている場合には、「レベル２」と表示する。次に、カーソルキー４ａによりＤＣマスクカーブの変更を指示すると、ＬＣＤ５に表示されている表示が変更され、次に変更を確定する確定キー４ｂを操作すると変更されたＤＣマスクカーブが設定される。
【００９４】
図９は、カーソルキー４ａなどが操作されてＤＣマスクカーブを選択するモードに設定された場合に、起動される処理を示すフローチャートである。まず、ＬＣＤ５に音質調整の設定画面であると表示するとともに、現在ＥＥＰＲＯＭ１３のＤＣマスクカーブ種別メモリ１３ａに記憶されている種別に対応する表示を行う（Ｓ６１）。すなわち、ＥＥＰＲＯＭ１３のＤＣマスクカーブ種別メモリ１３ａに種別Ａが記憶されている場合には、「レベル１」と表示し、種別Ｂが記憶されている場合には、「レベル２」と表示する。
【００９５】
次に、設定されているＤＣマスクカーブの変更を指示する操作子が操作されたか否かを判断する（Ｓ６２）。ＤＣマスクカーブを変更するカーソルキー４ａが操作された場合は（Ｓ６２：Ｙｅｓ）、ＥＥＰＲＯＭ１３のＤＣマスクカーブ種別メモリ１３ａを参照し、現在設定されているＤＣマスクカーブの種別がＡであるか否かを判断する（Ｓ６３）。
【００９６】
設定されている種別がＡである場合は（Ｓ６３：Ｙｅｓ）、ＬＣＤ５に「レベル２」と表示し（Ｓ６４）、ＲＡＭ１４のｔｅｍｐメモリ１４ａに、Ｂと記憶する。一方、Ｓ６３の処理で、設定されている種別がＡではない場合は（Ｓ６３：Ｎｏ）、ＬＣＤ５に「レベル１」と表示し（Ｓ６６）、ＲＡＭ１４のｔｅｍｐメモリ１４ａに、Ａと記憶する。
【００９７】
Ｓ６４またはＳ６５の処理において、種別がｔｅｍｐメモリ１４ａに記憶されると、このｔｅｍｐメモリ１４ａに記憶された種別のＤＣマスクカーブに基づいて、回線の電圧電流特性調整処理が行われる（Ｓ６８）。この電圧電流特性調整処理は、図１１に示すフローチャートの処理である。次に、確定キー４ｂが操作されたか否かを判断する（Ｓ６９）。確定キー４ｂが操作された場合は（Ｓ６９：Ｙｅｓ）、ｔｅｍｐメモリ１４ａに記憶された種別がＥＥＰＲＯＭ１３のＤＣマスクカーブ種別メモリ１３ａに記憶される（Ｓ７０）。
【００９８】
以上説明したように、第４の実施形態によれば、ＲＯＭ１２には、２つのＤＣマスクカーブが記憶され、使用者が任意にいずれのＤＣマスクカーブに基づいて回線の電圧電流特性を調整するかを選択設定することができる。したがって、設定されているＤＣマスクカーブにより回線の電圧電流特性が調整され、その状態で回線が発振する場合には、別のＤＣマスクカーブに切り替えることができる。
【００９９】
特に、通信装置に電話が備えられている場合であって、回線が閉結しているときにＤＣマスクカーブを切り替えることができると、受話器で確認しながら回線の発振に起因するノイズが発生しないＤＣマスクカーブを選択設定することができる。
【０１００】
なお、請求項１記載の調整手段は、図１１に示すフローチャートが該当し、選択手段は、図５に示すフローチャートのＳ９、Ｓ１１、図７に示すＳ２９、図８に示すＳ４９、図９に示すフローチャートのＳ６３の各処理が該当し、再調整手段は、図５に示すフローチャートのＳ８、Ｓ１０、Ｓ１２、Ｓ１３、図７に示すフローチャートのＳ３１、図８に示すフローチャートのＳ５０および図９に示すフローチャートのＳ７０の各処理が該当する。
【０１０１】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【０１０２】
例えば、上記第１の実施形態では、通信装置１は、ファクシミリ、コピー、電話などの複数の機能を有する複合機としたが、通信を行う単機能の通信装置であってもよい。
【０１０３】
また、上記第１実施形態では、検出器として回線の電圧を検出し、回線のインピーダンスに基づいて電流値を取得するものとしたが、逆に、回線電流を検出し、回線のインピーダンスに基づいて電圧値を取得するものとしてもよいし、回線の電圧および電流を検出するようにしてもよい。
【０１０４】
また、上記第１の実施形態では、回線が発振した場合に、発振周波数を検出し、発振周波数に対応する電圧電流特性曲線を選択するものとしたが、回線が発振した場合に、発振のレベルを検出し、発振のレベルに応じて電圧電流特性曲線を選択するようにしてもよい。
【図面の簡単な説明】
【０１０５】
【図１】本発明の第１の実施形態における通信装置の構成を概略的に示した斜視図である。
【図２】通信装置の電気的構成を示すブロック図である。
【図３】回線Ｉ／Ｆの構成を示すブロック図である。
【図４】ＲＯＭに記憶される複数のＤＣマスクカーブを示すテーブルである。
【図５】ＤＣマスクカーブ選択処理を示すフローチャートである。
【図６】第２の実施形態におけるＲＯＭに記憶される複数のＤＣマスクカーブを示すテーブルである。
【図７】第２の実施形態におけるＤＣマスクカーブ選択処理を示すフローチャートである。
【図８】第３の実施形態におけるＤＣマスクカーブ選択処理を示すフローチャートである。
【図９】第４の実施形態におけるＤＣマスクカーブ選択処理を示すフローチャートである。
【図１０】従来の技術における回線の電圧電流特性とＤＣマスクカーブとを示すグラフである。
【図１１】従来の技術における電圧電流特性調整処理を示すフローチャートである。
【符号の説明】
【０１０６】
１              通信装置
４ａ            カーソルキー（第４の実施形態における選択手段）
１１            ＣＰＵ
１２            ＲＯＭ
１２ａ          ＤＣマスクカーブメモリ（記憶手段）
１３            ＥＥＰＲＯＭ
１４            ＲＡＭ
１４ｂ          試行済みＤＣマスクカーブ種別メモリ（選択済み記憶手段）
３３            半導体ＤＡＡ
３４            電圧検出回路（検出回路）
４５            トランジスタ
５０            発振検出回路
【図１】
2006191495.tif 000003
【図２】
2006191495.tif 000004
【図３】
2006191495.tif 000005
【図４】
2006191495.tif 000006
【図５】
2006191495.tif 000007
【図６】
2006191495.tif 000008
【図７】
2006191495.tif 000009
【図８】
2006191495.tif 000010
【図９】
2006191495.tif 000011
【図１０】
2006191495.tif 000012
【図１１】
2006191495.tif 000013